(57)【要約】 【課題】  幅方向に移動可能な内扉と外扉を備えた引戸式片開き２枚扉装置において、低コストでクーラント漏出防止効果の高い引戸式片開き２枚扉装置を提供する。【解決手段】  扉閉塞状態における外扉４の内扉側の内側面に、高さ方向の略全域に亘って密接面１６と、見込み方向内側に突出し、該密接面１６に密着するシール部材１７とを設け、外扉４の内扉側の側面に、幅方向の内扉側に突出する当接部材１９を設ける。また、扉閉塞状態における内扉５の外扉側の外側面に、扉閉塞時において高さ方向の略全域に亘ってシール部材１７と当接する当接面２２を設ける。さらに、機体カバー１には、当接部材１９を押圧して閉塞時の外扉４を幅方向に付勢するプランジャ２４と、扉閉塞時にプランジャ２４の押圧力に対抗し閉塞状態を保持する図示しない保持手段とを備え、扉閉塞時にプランジャ２４の押圧力により内扉５の当接面２２がシール部材１７と密着するようにする。【選択図】  図９
2011062773.tif 000002
【特許請求の範囲】
【請求項１】
工作機械の機体カバーの開口部に備えられる扉装置であって、幅方向に移動可能な内扉と外扉を備え、駆動されて開口部の全幅区間を移動した内扉が、外扉の見込み方向内側に重なって開く引戸式片開き２枚扉装置において、
扉閉塞状態における外扉の内扉側の内側面に、高さ方向の略全域に亘って密接面と、見込み方向内側に突出し、該密接面に密着するシール部材とを設け、外扉の内扉側の側面に、幅方向の内扉側に突出する当接部材を設け、扉閉塞状態における内扉の外扉側の外側面に、扉閉塞時において高さ方向の略全域に亘ってシール部材と当接する当接面を設ける一方、
機体カバーには、当接部材を押圧して閉塞時の外扉を幅方向に付勢する付勢部材と、扉閉塞時に付勢部材の押圧力に対抗し閉塞状態を保持する保持手段とを備え、扉閉塞時に付勢部材の押圧力により内扉の当接面がシール部材と密着することを特徴とする引戸式片開き２枚扉装置。
【請求項２】
前記付勢部材は、ばね材であることを特徴とする請求項１記載の引戸式片開き２枚扉装置。
【請求項３】
前記シール部材は、弾性を有するゴム材であることを特徴とする請求項１または２記載の引戸式片開き２枚扉装置。
【発明の詳細な説明】
【技術分野】
【０００１】
本発明は、工作機械の機体カバーに取付ける引戸式片開き２枚扉装置に関するものであって、詳しくは２枚扉の重なり部のシール構造に関する。
【背景技術】
【０００２】
従来、工作機械の機体カバーに取付ける引戸式片開き２枚扉装置として、特許文献１に記載のドア装置が知られている。
【先行技術文献】
【特許文献】
【０００３】
【特許文献１】特開２００６−２０５３３７号公報
【発明の概要】
【発明が解決しようとする課題】
【０００４】
工作機械（マシニングセンタ）の機体カバーは、ワークの出し入れや、メンテナンス用に開口部が設けられ、扉装置で蓋って作業者の安全を確保し、加工時の切屑やクーラントが外へ飛散しないようになっている。
扉装置は、扉に引戸式（横スライド方式）の両開き２枚扉、片開き１枚扉、片開き２枚扉が多く用いられ、この理由は、扉を開いた時に扉に付着したクーラントや切屑が床に落ちるのを防止する為である。
上記扉装置の中でも片開き２枚扉は、両開き２枚扉に比べ、構造が簡単で安価であり、開閉時間が短くできるという利点がある。また、片開き１枚扉よりも開口幅を広くでき、少ない力で操作できる。さらに、収納性が良いので機体をコンパクトにできるといった利点がある。しかしながら一方で、可動部が多いので、両開き２枚扉や片開き１枚扉よりもクーラントが外部へ漏れやすいという欠点がある。特に内扉と外扉との重なり部の隙間から漏れやすい。
【０００５】
近年のクーラントの高圧化や切削速度の高速化により、切削時におけるクーラントや切屑の飛散が激しく、機体カバーからのクーラント漏出防止を確実に行なうことが求められている。この為、漏れにくい両開き２枚扉が主流になっているが、開口部レイアウトの都合で片開き２枚扉が必要になる場合があり、経済性・機体のコンパクト化にも有利な片開き２枚扉のクーラント漏出防止対策が必要になってきた。
【０００６】
上記特許文献１のドア装置は、レール上に異物が堆積しない構造ではあるが、隙間からクーラント漏れのおそれがある。また、構造が複雑で構成部品が多く高価であるという問題がある。
本発明の課題は、従来技術における上記問題点を解決するもので、低コストでクーラント漏出防止効果の高い引戸式片開き２枚扉装置を提供するものである。
【課題を解決するための手段】
【０００７】
本発明は上記課題を解決するために、工作機械の機体カバーの開口部に備えられる扉装置であって、幅方向に移動可能な内扉と外扉を備え、駆動されて開口部の全幅区間を移動した内扉が、外扉の見込み方向内側に重なって開く引戸式片開き２枚扉装置において、扉閉塞状態における外扉の内扉側の内側面に、高さ方向の略全域に亘って密接面と、見込み方向内側に突出し、該密接面に密着するシール部材とを設け、外扉の内扉側の側面に、幅方向の内扉側に突出する当接部材を設け、扉閉塞状態における内扉の外扉側の外側面に、扉閉塞時において高さ方向の略全域に亘ってシール部材と当接する当接面を設ける一方、機体カバーには、当接部材を押圧して閉塞時の外扉を幅方向に付勢する付勢部材と、扉閉塞時に付勢部材の押圧力に対抗し閉塞状態を保持する保持手段とを備え、扉閉塞時に付勢部材の押圧力により内扉の当接面がシール部材と密着することを特徴とする。
【０００８】
上記発明において、より具体的には、前記付勢部材は、ばね材であることを特徴とする。
さらに、前記シール部材は、弾性を有するゴム材であることを特徴とする。
これらにより、クーラントが漏れやすい内扉と外扉との重なり部の隙間を、簡単な方法で確実に塞ぐことができる。
【発明の効果】
【０００９】
本発明の引戸式片開き２枚扉装置によれば、内扉と外扉との重なり部の隙間からクーラントが漏出するのを確実に防止することができる。また、簡単な構造で部品点数が少ないので低コストである。
【図面の簡単な説明】
【００１０】
【図１】本発明の引戸式片開き２枚扉装置を備えた工作機械の機体カバー斜視図である。
【図２】本発明の引戸式片開き２枚扉装置を備えた工作機械の機体カバー側面図である。
【図３】図２におけるＩＩＩ−ＩＩＩ断面図で、扉の閉塞状態を示した図である。
【図４】外扉の正面図と側面図である。
【図５】図４におけるＸ−Ｘ断面図である。
【図６】内扉の正面図と側面図である。
【図７】図６におけるＶＩＩ−ＶＩＩ断面図である。
【図８】図３におけるＶＩＩＩ−ＶＩＩＩ断面図である。
【図９】図８におけるＩＸ−ＩＸ断面図である。
【図１０】図２におけるＩＩＩ−ＩＩＩ断面図で、扉の開口状態を示した図である。
【発明を実施するための形態】
【００１１】
本発明の引戸式片開き２枚扉装置の実施形態を説明する。尚、以降の説明では、扉が開閉移動する方向を「幅方向」と称し、図３における幅方向の左側を「扉開口側」、右側を「扉閉塞側」と称する。
一方、幅方向に対し直交する方向を「見込み方向」と称し、図８における左側を「内側」、右側を「外側」と称する。
【００１２】
まず機体カバーの構成について図１，２を参照しながら説明する。図１に示す工作機械の機体カバー１は、ワークの出し入れや、メンテナンスを行う為の開口部２が設けてある。そして、その開口部２には、クーラントや切屑が機外に出ないように扉装置やカバーが備えられている。機体カバー１の正面には、幅方向に移動可能な外扉４と内扉５とを備え、手動または駆動装置６によって駆動されて開口部２の全幅区間を移動した内扉５が外扉４の見込み方向内側に重なって開口する引戸式片開き２枚扉装置３が、ワークの出し入れを行う為の正面扉に採用されている。
【００１３】
機体カバー１には、扉の開閉を自動で行う為の駆動装置６が取付けられている。駆動装置６の駆動源には、図示しないエアシリンダが用いられている。このエアシリンダは、扉閉塞時に閉塞状態を保持する役割も担っている。
機体カバー１の正面右側は、図示しない操作盤の取付けスペース、左側が扉の収納スペースになっており、引戸式片開き２枚扉装置３を採用することで扉収納部と操作盤との干渉を防ぎ、機体カバー１の幅方向の寸法を小さくすることが可能となっている。
【００１４】
では、本発明の実施形態を、図３〜１０を参照しながら、まずその構成について説明する。引戸式片開き２枚扉装置３の外扉４は、図４，８に示すように上縁部から上側に延びた外扉固定片１３を備えている。一方の内扉５は、図５，８に示すように上縁部から内側に延びた内扉固定片１４を備えている。
外扉４と内扉５は、直動案内機構であるガイドブロック７，８とガイドレール９，１０によって、夫々扉上部が案内・支持されて幅方向に移動可能になっている。
【００１５】
外扉用ガイドレール９は、機体カバー１の上部内側壁面１１に取付けられ、外扉用ガイドブロック７が摺動自在に嵌合されている。外扉用ガイドブロック７には、幅方向に長い外扉懸架部材１２が取付けられている。外扉懸架部材１２は、内扉５が開口部２の全幅区間を移動できる長さの内扉用ガイドレール１０を取付けられるように、その幅方向長さが開口部長さに略等しくなっている。図４は、外扉懸架部材１２に外扉４と、内扉５の内扉用ガイドブロック８と、ガイドレール１０とを取付けた状態を表している。
【００１６】
外扉懸架部材１２には、内扉用ガイドレール１０が取付けられ、内扉用ガイドブロック８も外扉用と同様に内扉用ガイドレール１０に嵌合されている。内扉用ガイドブロック８には、内扉用ガイドブロック８から下側へ延びる内扉懸架部材１５が取付けられている。内扉懸架部材１５には、下端に内扉固定片１４が螺着され内扉５が懸架されている。
【００１７】
外扉４には図４，５，９に示すように、扉閉塞状態における外扉４の内扉側の内側面に、高さ方向の略全域に亘って密接面１６と、見込み方向内側に突出し、その密接面１６に押付けられ密着したシール部材１７とが設けられている。このシール部材１７は、断面Ｌ字状の長尺のブラケット１８に弾性体のフッ素系ゴムシート材を貼り付けたもので、外扉４を構成する外側板材４ａに螺着されている。
また、外扉４の内扉側の側面には、幅方向の内扉側に突出する当接部材１９が設けられている。この当接部材１９は図４，５に示すように、外扉側面の上下２箇所に固着した台座２０，２１に、ストッパーボルト１９ａを螺合しナット１９ｂで固定して調整可能になっている。
【００１８】
一方の内扉５には図６，７，９に示すように、内扉５の外扉側の外側面に、扉閉塞時において高さ方向の略全域に亘って上述のシール部材１７と当接する当接面２２が設けられている。
そして図９，１０に示すように、機体カバー１の内側に設けたブロック２３に、上述の当接部材１９を押圧して閉塞時の外扉４を幅方向に付勢する付勢部材２４が備えられている。この付勢部材２４は、本実施形態では、ばね材２５を内装したプランジャである。
そして、引戸式片開き２枚扉装置３は、扉閉塞時にプランジャ２４の押圧力に対抗し閉塞状態を保持する保持手段を備えている。本実施形態では、上述の駆動装置６のエアシリンダ（図示しない）が保持手段６に相当する。あるいは、手動扉の場合例えば、特開２００９−１３１９３６の扉に記載のようなフックであってもよい。
【００１９】
次に本発明の実施形態の作用効果について説明する。
上記の様に構成された引戸式片開き２枚扉装置は、図９に示すように、扉閉塞時にプランジャ２３の押圧力により内扉５の当接面２２がシール部材１７と密着するようになっている。
本発明の実施形態は、上記作用により、クーラントが漏れやすい内扉５と外扉４との重なり部の隙間を、簡単な方法で確実に塞ぐことができる。よって、内扉５と外扉４との重なり部の隙間からクーラントが漏出するのを確実に防止することができる。また、簡単な構造で部品点数が少ないので低コストである。
【００２０】
本発明は、上述した実施形態に限定されるものではなく、発明の要旨を逸脱しない範囲内において構成の一部を適宜変更して実施することができる。
例えば本発明の実施形態では、付勢部材であるプランジャ２３を機体カバー１の内側に設けたが、外扉４側に設け、当接部材１９であるストッパーボルト１９ａを機体カバー１側に設けてもよい。
【符号の説明】
【００２１】
１    機体カバー
２    開口部
３    引戸式片開き２枚扉装置
４    外扉
５    内扉
６    駆動装置（保持手段）
１６  密接面
１７  シール部材
１９  当接部材
２２  当接面
２４  プランジャ（付勢部材）
【図１】
2011062773.tif 000003
【図２】
2011062773.tif 000004
【図３】
2011062773.tif 000005
【図４】
2011062773.tif 000006
【図５】
2011062773.tif 000007
【図６】
2011062773.tif 000008
【図７】
2011062773.tif 000009
【図８】
2011062773.tif 000010
【図９】
2011062773.tif 000011
【図１０】
2011062773.tif 000012